(57)【要約】【課題】本考案は、構造が簡単であり、小さく、異なる大きさの密封袋に適用可能であり、また、密封袋のはめ込み部を手で押さえ込む必要がなく、密封作業を容易に行うことのできる押し込み式密封袋用真空包装機を提供することを課題とする。【解決手段】押し込み式密封袋用真空包装機は、ケースと、吸気口及び排気口と、電源、モータ、スイッチ及び羽と、吸気パイプ及び締付部とを含み、電源がモータ及びスイッチに電気的に接続され、羽がモータのモータ軸に取り付けられ、吸気口が羽の正面に設けられ、吸気パイプが筒状体であり、吸気パイプの後端が吸気口と接続され、締付部が、締付部上部及び締付部下部を含み、吸気パイプの一部を囲むように前記ケース側部に設置され、締付部と吸気パイプとの間に空間が形成され、締付部上部と締付部下部との間に締付口が形成され、締付口の幅が、２ｍｍ〜５ｍｍであることによる。【選択図】図１
0003125787.tif 000002
【実用新案登録請求の範囲】
【請求項１】
ジッパーバッグを閉じるための真空装置において、ケースと、該ケース内に配置された吸気装置と、前記ケースに配置され、前期吸気装置に連結されている吸気口と、前記ケースに配置され、該ケースに対して相対的に動くことのできる締付部材と、該締付部材に連結されているスイッチとを有し、前記吸気口にはその外面の長手方向に沿って第１及び第２の隆起部が位置しており、前記締付部が一つ以上の案内溝を有し、前記スイッチの作動により前記締付部材が動き、前記吸気装置が作動することを特徴とする真空装置。
【請求項２】
前記締付部材が前記ケースに対して相対的に回動する、請求項１に記載の真空装置。
【請求項３】
前記締付部材が枢支されて回動する、請求項１に記載の真空装置。
【請求項４】
前記スイッチが前記ケースに対して枢支されて回動する、請求項１に記載の真空装置。
【請求項５】
前記スイッチがハンドルである、請求項１に記載の真空装置。
【請求項６】
前記吸気装置が吸気開口を備え、前記吸気口が該吸気開口に連結されている、請求項１に記載の真空装置。
【請求項７】
前記吸気装置がモータと羽とを有する、請求項１に記載の真空装置。
【請求項８】
前記スイッチが、前記モータを起動させ前記羽根を回転させることによって前記吸気装置を起動させ、もって、前記吸気口を介して吸気を行う、請求項７に記載の真空装置。
【請求項９】
前記吸気口が前記吸気装置に連結されている管を有し、該管が前記締付部材より長い、請求項１から８のいずれかに記載の真空装置。
【請求項１０】
前記ジッパーバッグが第一及び第二のジップストリップを有し、前記締付部材が該第一及び第二のジップストリップを一緒に押圧する、請求項１から８のいずれかに記載の真空装置。
【請求項１１】
前記締付部材が挿入位置及び密封位置から可動な、請求項１から８のいずれかに記載の真空装置。
【請求項１２】
前記挿入位置において前記ジッパーバッグ前記締付部材に挿入され、前記密封位置において前記ジッパーバッグの第一及び第二のジップストリップが前記吸気口に対して押圧され、もって、該第一及び第二のジップストリップを一緒に押圧する、請求項１１に記載の真空装置。
【請求項１３】
前記スイッチがオフ位置からオン位置へと可動であり、該オフ位置では、前記吸気装置がオフであり前記締付部材が前記挿入位置にあり、前記オン位置では、前記吸気装置が起動し前記締付部材が前記密封位置にある、請求項１２に記載の真空装置。
【請求項１４】
前記スイッチの移動により前記締付部材が回転する、請求項１３に記載の真空装置。
【請求項１５】
前記締付部材が回転し、該締付部材を前記吸気口へ向う方向に或いは該吸気口から離れる方向に選択的に移動させる、請求項１から８のいずれかに記載の真空装置。
【請求項１６】
前記スイッチの移動によって前記締付部材が回転する、請求項１から８のいずれかに記載の真空装置。
【請求項１７】
前記締付部材が実質的に平行に配置されている上方締付部材と下方締付部材とを有して締付ギャップ開口を形成している、請求項１から８のいずれかに記載の真空装置。
【請求項１８】
前記ケースがばねを有し、該ばねが、前記締付部材を前記挿入位置に保持し、該締付部材が該挿入位置から解放されると該締付部材を前記挿入位置に戻す、請求項１から８のいずれかに記載の真空装置。
【請求項１９】
前記締付部材が、前記ジッパーバッグを案内する一つ以上の横方向隆起部を有する、請求項１から８のいずれかに記載の真空装置。
【請求項２０】
前記ケースが、前記吸気装置に動力を与える一つ以上の電池を受容する電池箱を有する、請求項１から８のいずれかに記載の真空装置。
【考案の詳細な説明】
【技術分野】
【０００１】
本考案は真空包装機に関し、特に押し込み式密封袋用真空包装機に関する。
【背景技術】
【０００２】
内容物を密封するための密封袋には、押し込み式密封袋及びファスナー式密封袋がある。押し込み式密封袋の袋口は、凹状体及び凸状体よりなる押し込み部を有し、凹状体及び凸状体を互いにはめ合わせることにより密封袋を閉じることができる。しかしながら、大きな密封袋の場合には、凹状体を凸状体にはめ合せることが困難であり、包装が不完全となって内容物が漏れることとなる。
【０００３】
ファスナー式密封袋は、袋口が相互にはめ込み可能に形成され、そこにファスナーを備え、ファスナーを袋口に挟み込み、ファスナーを移動させることにより袋口が閉じ、内容物を密封する。しかしながら、ファスナーが破損しやすく、長期の利用は困難である。
【０００４】
また、上記押し込み式密封袋及びファスナー式密封袋は、その内部を真空とすることができず、食品等を保存する際に、密封袋内に空気が混入すると、食品等は酸化しやすく、長期保存ができない。
【０００５】
密封袋の内部を真空とするために、真空包装機が用いられるが、その構造は複雑で大きなものであるので、家庭で使用することは困難である。また、一方弁を具備する密封袋も用いられているが、製造コストが高くなり、異なる大きさの内容物に対して異なる大きさの密封袋を用いる必要があり、不便である。
【０００６】
中国実用新案登録第０２２７１８３５．４号（特許文献１）には、小型真空機が開示されており、長い筒状の吸引部を密封袋に挿入し、袋内の空気を抜き出し、その内部を真空にする。しかし、このような真空機を使用する際には、密封袋のはめ込み可能な袋口を手で押さえつける必要があり、ファスナー式の密封袋を用いた際にも、吸引部を密封袋より抜き出す際に、隙間ができ空気が流入する。
【特許文献１】中国実用新案登録第０２２７１８３５．４号
【考案の開示】
【考案が解決しようとする課題】
【０００７】
本考案の目的は、構造が簡単であり、小さく、異なる大きさの密封袋に適用可能であり、また、密封袋の押し込み部を手で押さえ込む必要がなく、密封作業を容易に行うことのできる押し込み式密封袋用真空包装機を提供することである。
【課題を解決するための手段】
【０００８】
本考案者らは、鋭意研究を重ねた結果、吸気パイプを楕円形とし、吸気パイプの一端を囲むように締付部上部及び締付部下部を有する回転可能な締付部を設置し、吸気パイプと締付部と間の空間の間隔を調節可能とすることにより、上記課題を解決する押し込み式密封袋用真空包装機を完成した。
【０００９】
すなわち、本考案の押し込み式密封袋用真空包装機は、以下よりなる。
１．ジッパーバッグを閉じるための真空装置において、ケースと、該ケース内に配置された吸気装置と、前記ケースに配置され、前期吸気装置に連結されている吸気口と、前記ケースに配置され、該ケースに対して相対的に動くことのできる締付部材と、該締付部材に連結されているスイッチとを有し、前記吸気口にはその外面の長手方向に沿って第１及び第２の隆起部が位置しており、前記締付部が一つ以上の案内溝を有し、前記スイッチの作動により前記締付部材が動き、前記吸気装置が作動することを特徴とする真空装置。
２．前記締付部材が前記ケースに対して相対的に回動する、請求項１に記載の真空装置。
３．前記締付部材が枢支されて回動する、請求項１に記載の真空装置。
４．前記スイッチが前記ケースに対して枢支されて回動する、請求項１に記載の真空装置。
５．前記スイッチがハンドルである、請求項１に記載の真空装置。
６．前記吸気装置が吸気開口を備え、前記吸気口が該吸気開口に連結されている、請求項１に記載の真空装置。
７．前記吸気装置がモータと羽とを有する、請求項１に記載の真空装置。
８．前記スイッチが、前記モータを起動させ前記羽根を回転させることによって前記吸気装置を起動させ、もって、前記吸気口を介して吸気を行う、請求項７に記載の真空装置。
９．前記吸気口が前記吸気装置に連結されている管を有し、該管が前記締付部材より長い、請求項１から８のいずれかに記載の真空装置。
１０．前記ジッパーバッグが第一及び第二のジップストリップを有し、前記締付部材が該第一及び第二のジップストリップを一緒に押圧する、請求項１から８のいずれかに記載の真空装置。
１１．前記締付部材が挿入位置及び密封位置から可動な、請求項１から８のいずれかに記載の真空装置。
１２．前記挿入位置において前記ジッパーバッグ前記締付部材に挿入され、前記密封位置において前記ジッパーバッグの第一及び第二のジップストリップが前記吸気口に対して押圧され、もって、該第一及び第二のジップストリップを一緒に押圧する、請求項１１に記載の真空装置。
１３．前記スイッチがオフ位置からオン位置へと可動であり、該オフ位置では、前記吸気装置がオフであり前記締付部材が前記挿入位置にあり、前記オン位置では、前記吸気装置が起動し前記締付部材が前記密封位置にある、請求項１２に記載の真空装置。
１４．前記スイッチの移動により前記締付部材が回転する、請求項１３に記載の真空装置。
１５．前記締付部材が回転し、該締付部材を前記吸気口へ向う方向に或いは該吸気口から離れる方向に選択的に移動させる、請求項１から８のいずれかに記載の真空装置。
１６．前記スイッチの移動によって前記締付部材が回転する、請求項１から８のいずれかに記載の真空装置。
１７．前記締付部材が実質的に平行に配置されている上方締付部材と下方締付部材とを有して締付ギャップ開口を形成している、請求項１から８のいずれかに記載の真空装置。
１８．前記ケースがばねを有し、該ばねが、前記締付部材を前記挿入位置に保持し、該締付部材が該挿入位置から解放されると該締付部材を前記挿入位置に戻す、請求項１から８のいずれかに記載の真空装置。
１９．前記締付部材が、前記ジッパーバッグを案内する一つ以上の横方向隆起部を有する、請求項１から８のいずれかに記載の真空装置。
２０．前記ケースが、前記吸気装置に動力を与える一つ以上の電池を受容する電池箱を有する、請求項１から８のいずれかに記載の真空装置。
【考案の効果】
【００１０】
本考案の押し込み式密封袋用真空包装機によれば、吸引パイプに密封袋を被せ、吸気パイプと締付部との間に密封袋の袋口の一端を挿入して、ハンドルを回転させ、密封袋又はケースを横方向に移動させることによって密封袋の押し込み部が押さえられ密封されるので、密封作業を容易に行うことができる。
【考案を実施するための最良の形態】
【００１１】
以下に、本考案の一実施形態を示し、具体的に説明するが、本考案はこれらに限定されるものではない。
【００１２】
図１〜４に示されるように、本考案の押し込み式密封袋用真空包装機は、ケース１と、ケース１に開設された吸気口４及び排気口５と、ケース１の内部に設けられた電源８、モータ２、スイッチ９及び羽３と、ケース１の外部に設けられた吸気パイプ６及び締付部７とを含む。本実施例では、電源８は、４つの１．５Ｖ  ＡＡ乾電池であって、ケース１内の電池ボックスに設置される。電源８は、モータ２及びスイッチ９と電気的に接続され、羽３はモータ２のモータ軸２１に取り付けられ、吸気口４は羽３の正面に開設される。吸気パイプ６はケース１から露出し、吸気パイプ６の後端は吸気口４と接続される。吸気パイプ６は、その断面が楕円形の筒状体であり、その楕円形の断面の端部と端部の対角線がケース１の長手方向に対し４５度の角度で設置される。
【００１３】
締付部７は吸気パイプ６の一部、好ましくは吸気パイプ６の断面の端部の一方を囲むようにケース１側部に回転可能に接続され、締付部７及び吸気パイプ６の間には、密封袋１０の袋口を挿入する空間が形成される。密封袋１０の設置及び密封作業を容易に行うため、吸気パイプ６は、締付部７よりも長く形成される。締付部７は、締付部上部７１及び締付部下部７２を含み、その間に締付口７３が形成される。締付口７３の幅は、２ｍｍ〜５ｍｍ、好ましくは３ｍｍであり、その幅及び長さが密封袋１０の袋口の押し込み部１０１を押さえつけることができるように形成され、締付部７３の形状は吸気パイプ６の断面の端部の形状に相応するよう形成される。より確実な密封作業を行うため、締付部上部７１及び締付部下部７２の、吸気パイプ６と対峙する側に複数の凹凸を形成することもできる。締付部７は、締付部上部７１及び締付部下部７２に接続されるハンドル７４を有する。ハンドル７４は、ハンドル７４に設けられた軸７５によってケース１と回転可能に接続される。締付部７の締付部上部７１及び締付部下部７２は、ハンドル７４の回転に応じて移動し、密封袋１０の袋口を挿入する締付部７及び吸気パイプ６との間の空間の間隔を調節する。ハンドル７４を回転させることにより、締付口７３が吸気パイプ６の断面の端部に近づき、締付部７及び吸気パイプ６の間の空間が狭くなる。また、締付部７にはスプリング７６が設けられ、スプリング７６が開放状態の場合、締付部７と吸気パイプ６が離れ上記空間の間隔が広がり、スプリング７６が収縮状態の場合、締付部７と吸気パイプ６が近づき上記空間の間隔が狭くなる。また、ハンドルを設けず、締付部上部７１及び締付部下部７２をケース１に回転可能に接続し、締付部上部７１及び締付部下部７２を回転させることにより、上記空間の間隔を調節することも可能である
【００１４】
ハンドル７４は、電源を入切するスイッチ９として機能し、ハンドル７４を回転させることにより電源８が入り、モータ２が起動して、羽３が回転する。
【００１５】
図２及び３に示すように、本考案の押し込み式密封袋用真空包装機を使用する際には、密封袋１０を吸気パイプ６に被せ、密封袋１０の袋口の一端を吸気パイプ６と締付部７の間の空間に挿入し、密封袋１０の押し込み部１０１を締付口７３に合わせる。その後、ハンドル７４を回転させると、密封袋１０の一端が締付口７３に移動し、吸気パイプ６と締付部７の間の空間が狭くなる。ハンドルの回転と同時に、電源８が入り、モータ２が起動し、羽３が回転して吸気が開始される。その後、密封袋１０又はケース１を横方向に引くと、締付口７３が密封袋１０の押し込み部１０１を押さえ、密封袋１０が閉じられる。密封袋１０内の空気の抜き出しが完了すると、吸気パイプ６を密封袋１０から抜き出し、押し込み部１０１の閉じられていない箇所を押さえ密封を完了する。
【００１６】
図５及び６は、本考案の押し込み式密封袋用真空包装機の他の実施形態を示し、電源８は充電池であり、ケース１に充電プラグを差し込むための充電ソケット１３が設けられる。
【００１７】
図７は、本考案の押し込み式密封袋用真空包装機の更に他の実施形態を示し、吸気パイプ６に吸気チューブ６１が可動的に接続される。吸気パイプの長さは、密封袋１０の大きさによって変更可能であり、吸気チューブ６１の先端が密封袋１０の底部により近くなることによって、より優れた吸気を行うことが可能となる。
【００１８】
図８は、本考案の押し込み式密封袋用真空包装機の第四の実施形態の密封前の原始位置を示す斜視図である。該第四の実施形態では、吸気口6の断面は略円形である。吸気口６は第１隆起部１００と第２隆起部１０２とを有し、各隆起部は吸気口６の外面の長手方向に沿って位置している。
【００１９】
第8図に示すように、ジッパーバッグ開口の一端に吸気口６を挿入して吸気口６をジッパーバッグ１０４内に位置させ、ジッパーバッグを締付部７内に位置させる。その際、ジッピング・ストリップ１０６が上方締付部７１と下方締付部７２との間で締付口７３内に配置されるようにする。そして、使用者はハンドル７４を駆動して締付部７を吸気口６に向かって移動させ、吸気口６を介して吸引を開始させる。同時に、使用者はジッピング・ストリップ１０６の一端を保持し、真空装置をジッピング・ストリップ１０６の他端に向かう方向に引き、もって、締付部７がジッピング・ストリップ１０６を一緒にプレスし、密封する。吸気口６が第９図に示すように、バッグ開口の他端に達すると使用者はバッグ内の空気がバッグ外に抽気されたことを確認し、吸気口６をジッパーバッグ１０４から取り除き、真空装置によって未だ密封されていない、ジッピング・ストリップ１０６の一部をプレスし密封する。
【００２０】
第９図は本考案の押し込み式密封袋用真空包装機の第四の実施形態の密封位置を示す斜視図である。該密封位置では、吸気口６はジッピング・ストリップ１０６間の小開口を占めている。第９図に示すように、ジッピング・ストリップ１０６間の小開口は吸気口６並びに第１及び第２の隆起部の断面形状と同様である。したがって、小開口と吸気口６との間の空間の量は減少し、もって、ジッパーバッグ１０４が抽気されるのを助ける。
【００２１】
第１０図は、本考案の押し込み式密封袋用真空包装機の第四の実施形態の吸気口を示す一部拡大斜視図である。第１隆起部１００は吸気口６の外面上で第２隆起部１０２とほぼ対向している。これら隆起部の断面は略三角形であり、ジッパーバッグ１０４の内面が吸気口６並びに隆起部１００及び１０２の周囲にほぼフィットし、該内面が吸気口６並びに隆起部１００及び１０２の断面と同様の形状を占める。第１の隆起部１００及び第２の隆起部１０２略同一の形状及び寸法を有する。隆起部１００及び１０２の形状は吸気口６とジッパーバッグ１０４との間の空隙を減じるのに役立ち、もって、ジッパーバッグ１０４外への抽気を改善している。
【００２２】
第１１図は、本考案の押し込み式密封袋用真空包装機の第五の実施形態の締付部とハンドルを真空装置から取り外した状態で示す拡大側面図である。本実施形態では、締付部７の面は、案内溝１１０又は切り欠きを備え、案内溝１１０又は切り欠きは締付部７の面の下方に設けられている。上方締付部７１の面と下方締付部７２の面とは、それぞれ締付開口７３近傍の縁に沿って、複数の案内溝１１０を有する。案内溝１１０は、ジッパーバッグのジッピング・ストリップを締付開口７３を介して案内するのを助ける。案内溝１１０は、真空装置を使用中に、ジッパーバッグを誤って吸気口６から滑り落とすのを防止するのを助ける。第１１図には複数の案内溝が示されているが、単一の溝でもいいし、その数は限定されない。案内溝は締付部の縁の長手方向に沿って設けられており、異なる寸法のバッグを収容する。バッグの寸法が異なることによって締付口７３の異なる位置にジッピング・ストリップを配置することができる。案内溝１１０は上方締付部７１と下方締付部７２の双方又はいずれか一方に設けることができる。案内溝１１０は締付部材７1、７２の表面の形状に沿って湾曲させてもよい。また、案内溝１１０は、締付部７の面上の、上述の隆起部と組み合わせて設けることもできる。
【産業上の利用可能性】
【００２３】
本考案により、構造が簡単で、小さく、異なる大きさの密封袋に適用可能であり、また、密封袋のはめ込み部を手で押さえ込む必要がなく、密封作業を容易に行うことのできる押し込み式密封袋用真空包装機を製造可能となった。
【図面の簡単な説明】
【００２４】
【図１】本考案の押し込み式密封袋用真空包装機の分解図である。
【図２】本考案の押し込み式密封袋用真空包装機の使用状態を示す斜視図である。
【図３】本考案の押し込み式密封袋用真空包装機の使用状態を示す斜視図である。
【図４】本考案の押し込み式密封袋用真空包装機の回路図である。
【図５】本考案の押し込み式密封袋用真空包装機の第二の実施形態の分解図である。
【図６】本考案の押し込み式密封袋用真空包装機の他の実施形態の回路図である。
【図７】本考案の押し込み式密封袋用真空包装機の第三の実施形態の使用状態を示す斜視図である。
【図８】本考案の押し込み式密封袋用真空包装機の第四の実施形態の密封前の原始位置を示す斜視図である。
【図９】本考案の押し込み式密封袋用真空包装機の第四の実施形態の密封位置を示す斜視図である。
【図１０】本考案の押し込み式密封袋用真空包装機の第四の実施形態の吸気口を示す一部拡大斜視図である。
【図１１】本考案の押し込み式密封袋用真空包装機の第五の実施形態の締付部とハンドルを真空装置から取り外した状態で示す拡大側面図である。
【符号の説明】
【００２５】
１    ケース
２    モータ
２１  モータ軸
３    羽
４    吸気口
５    排気口
６    吸気パイプ
６１  吸気チューブ
７    締付部
７１  締付部上部
７２  締付部下部
７３  締付口
７４  ハンドル
７５  軸
８    電源
９    スイッチ
１０  密封袋
１０１  押し込み部
１３  充電ソケット
【図１】
0003125787.tif 000003
【図２】
0003125787.tif 000004
【図３】
0003125787.tif 000005
【図４】
0003125787.tif 000006
【図５】
0003125787.tif 000007
【図６】
0003125787.tif 000008
【図７】
0003125787.tif 000009
【図８】
0003125787.tif 000010
【図９】
0003125787.tif 000011
【図１０】
0003125787.tif 000012
【図１１】
0003125787.tif 000013